(57)【特許請求の範囲】
【請求項１】
オペレータが動作指示を入力するための操作部；電気負荷およびセンサ；操作部が与える又は遠隔から与えられる動作指示に応答して、電気負荷を駆動しセンサの検出信号を監視する負荷コントローラ；ならびに、動作指示に応答して負荷駆動を開始可能なスタンバイモードで待機し、該スタンバイモードに復帰可能な低電力消費の休止モードに移行できる省電力コントローラ；を備える省電力装置において、
センサへの通電をオン／オフするスイッチ手段；および、センサ省エネコントローラ；を備え、前記省電力コントローラは、スタンバイモードで負荷コントローラおよびセンサ省エネコントローラに給電し、休止モードで該給電を停止し；前記センサ省エネコントローラは、前記給電があると前記スイッチ手段をオンにし、電気負荷の駆動を終了し該駆動に関するセンサの検出信号の監視を終了すると前記スイッチ手段をオフにする；ことを特徴とする省電力装置。
【請求項２】
前記スイッチ手段は、スタンバイモードでは給電があり休止モードでは給電がない省電力給電線とセンサの間に介挿された；請求項１に記載の省電力装置。
【請求項３】
オペレータが動作モードを設定し動作指示を入力するための操作部；転写紙上に画像を形成する画像生成手段およびセンサ；前記操作部が与える又は遠隔から与えられる動作指示に応答して設定があった動作モードで前記画像生成手段を駆動しセンサの検出信号を監視する画像形成コントローラ；ならびに、動作指示に応答して該駆動を開始可能なスタンバイモードで待機し、該スタンバイモードに復帰可能な低電力消費の休止モードに移行できる省電力コントローラ；を備える画像形成装置において、
センサへの通電をオン／オフするスイッチ手段；および、センサ省エネコントローラ；を備え、前記省電力コントローラは、スタンバイモードで負荷コントローラおよびセンサ省エネコントローラに給電し、休止モードで該給電を停止し；前記センサ省エネコントローラは、前記給電があると前記スイッチ手段をオンにし、設定があった動作モードの画像生成を終了し該画像生成に関するセンサの検出信号の監視を終了すると前記スイッチ手段をオフにする；ことを特徴とする画像形成装置。
【請求項４】
前記スイッチ手段はスタンバイモードでは給電があり休止モードでは給電がない省電力給電線とセンサの間に介挿された、請求項３に記載の画像形成装置。
【請求項５】
センサ省エネコントローラは、設定があった動作モードの画像生成を終了し該画像生成に関するセンサの検出信号の監視を終了してから動作指示がなくセンサ省エネ設定時間が経過したときに、前記スイッチ手段をオフにする；請求項３又は４に記載の画像形成装置。
【請求項６】
操作部はセンサ省エネ設定時間を入力する手段を含み；画像形成装置は入力があったセンサ省エネ設定時間を保持する不揮発メモリ手段を備え；センサ省エネコントローラは、設定があった動作モードの画像生成を終了し該画像生成に関するセンサの検出信号の監視を終了してから動作指示がなく不揮発メモリ手段が保持するセンサ省エネ設定時間が経過したときに、前記スイッチ手段をオフにする；請求項５に記載の画像形成装置。
【発明の詳細な説明】
【０００１】
【発明の属する技術分野】
本発明は、待機時電力消費の節減機能を有する、省電力装置あるいは画像形成装置に関し、特に、装置内の状態を検出するセンサおよびそれに給電する電気回路を備える省電力装置あるいは画像形成装置に関する。これらの装置に含まれるものには具体的には、これに限定する意図では無いが、例えば、プリンタ，複写機，ファクシミリあるいはこれらの少なくとも１者を含む画像処理システム、がある。
【０００２】
【従来技術】
例えば、感熱記録，熱定着，熱乾燥を利用するプリンタ，複写機，ファクシミリなどは、画像形成時の電力消費が大きい。そこで、画像形成を終了すると装置の電源スイッチを自動遮断する提案がある。
【０００３】
例えば特開平７−１２９０４２号公報には、画像形成装置の電源回路とＡＣ１００Ｖプラグとの間に、使用者がオン／オフできるとともに、リレー機能を備えてＣＰＵによってもオフできる電源スイッチを介挿して、画像形成を終えるとＣＰＵが該電源スイッチをオフにして、画像形成装置の全電源を遮断する画像形成装置が提示されている。
【０００４】
しかしながら、全電源を遮断すると、新たに使用者が電源スイッチをオンにしなければ画像形成装置を使用することができない。定着ヒータなどウォームアップに時間がかかる要素をもつ画像形成装置では、画像形成が必要なとき使用者は電源スイッチをオンにしてからも、ウオームアップが完了するまで待たなければならない。また、この種の画像形成装置は、外部機器例えばコンピュータのプリントアウトコマンドに自動応答してコンピュータのドキュメントをプリントアウトする用途には用いることができない。
【０００５】
そこで使用者の使い勝手を良くするために、設定モードの画像形成を終えても、画像形成指示に応答して画像形成を開始可能スタンバイモードで待機するととともに、時間経過を計測して、新たに画像形成指示を受けるとそれに応答して画像形成を開始するが、画像形成指示を受けることなく設定時間が経過すると、復帰指示の到来を認知する待機回路やデータ保持が必要なメモリなど必要最小限の電気要素に給電を継続し他の電気回路または電気要素には待機電力給電も遮断する休止モード、に移行する画像形成装置が提示されている。スタンバイモードでは、例えば定着ローラを定着温度に維持するための電力消費がかなりあるが、休止モードではこの電力消費が無くなり、その他多くの電気回路への通電も止まるので、電力消費は極めて少ない。休止モードで、操作ボード入力あるいは通信によるプリントアウトコマンドなど、画像形成装置の使用アクセスがあると、復帰指示の到来を認知する待機回路が画像形成装置をスタンバイモードに復帰させる。
【０００６】
例えば特開平８−２５１３１７号公報には、ホストからプリンタに通信が無い時にプリンタコントローラが省エネモードに切換り、このとき画像形成エンジンの電源をオフにする画像形成装置が開示されている。
【０００７】
【発明が解決しようとする課題】
短時間で休止モードに移行するような場合、複写モード設定の途中で操作者が何かの都合で規定時間間隔内で操作を行わないと従来の技術では、操作パネルの表示は、標準の操作モードの画面設定になってしまい、せっかく設定条件を確立しても、設定モードが表示されなくなったり、複写モード自体が消去されてしまうといったことになり、使い勝手が悪くなることも考えられる。休止モードへ移行する設定時間を長くするとこのような問題は少なくなるが、操作者が何もしないか、いないときも、スタンバイモードが長く持続して電力を消費する。
【０００８】
例えば複写機には、コンタクトガラス上の原稿を照明するランプを搭載した走査キャリッジがホームポジションにあるかを検知するホームポジションセンサ，コンタクトガラス上に原稿があるかを検知する原稿センサ，ＡＤＦ（自動原稿供給装置）に原稿がセットされているかを検知する原稿センサ，原稿サイズセンサ，原稿搬送路に原稿が滞留又はジャムしているかを検知する原稿搬送路のペーパセンサ，作像機構の給紙トレイ又はカセットの紙有無およびサイズ検知をするペーパセンサ，作像機構の給紙，搬送，排紙の残紙又はジャムを検知するペーパセンサ等があり、スタンバイモードでは、これらのセンサおよび検知回路に給電する。
【０００９】
これはまず、ランプの位置検知は画像形成動作終了後、ランプが所定の位置に戻って次の画像形成動作を行える状態にあることを検知するために必要であり、また原稿，転写紙検知は、紙搬送を正常に行うことができる状態であるかを認識するために必要だからである。
【００１０】
しかし、ランプ位置検出／紙搬送検知ともに、画像形成動作を行わない限り、各検知手段での電力消費は無駄になっているといえる。
【００１１】
本発明はこのような点に鑑みてなされたもので、無駄な電力消費を更に低減することを目的とし、具体的には、スタンバイモードから休止モードへ移行する設定時間を比較的に長くしても無駄な電力消費は抑制することを目的とする。
【００１２】
【課題を解決するための手段】
（１）オペレータが動作指示を入力するための操作部(20)；電気負荷（モータ等）およびセンサ(14,72,42)；操作部が与える又は遠隔から与えられる動作指示に応答して、電気負荷を駆動しセンサの検出信号を監視する負荷コントローラ(12,51,41)；ならびに、動作指示に応答して負荷駆動を開始可能なスタンバイモードで待機し、該スタンバイモードに復帰可能な低電力消費の休止モードに移行できる省電力コントローラ（60)；を備える省電力装置において、
センサへの通電をオン／オフするスイッチ手段(15,73,43)；および、センサ省エネコントローラ(12,51,41)；を備え、前記省電力コントローラ（60)は、スタンバイモードで負荷コントローラ(12,51,41)およびセンサ省エネコントローラ(12,51,41)に給電し、休止モードで該給電を停止し；前記センサ省エネコントローラ(12,51,41)は、前記給電があると前記スイッチ手段(15,73,43)をオンにし、電気負荷の駆動を終了し該駆動に関するセンサの検出信号の監視を終了すると前記スイッチ手段(15,73,43)をオフにする；ことを特徴とする省電力装置。
【００１３】
なお、理解を容易にするためにカッコ内には、図面に示し後述する実施例の対応要素又は相当事項の符号を、例示として参考までに付記した。以下も同様である。
【００１４】
これによれば、電気負荷の駆動を終了しセンサの検出信号の監視を終了した後に、スタンバイモードであってもセンサへの給電が止まるので、スタンバイ電力が低減する。したがって、スタンバイモードから休止モードへ移行する設定時間を比較的に長くしても無駄な電力消費が抑制される。
【００１５】
休止モードでは負荷コントローラ(12,51,41)およびセンサ省エネコントローラ(12,51,41)への給電が止まるので、電力消費が更に低減する。
【００１６】
【発明の実施の形態】
（２）前記スイッチ手段(15,73,43)は、スタンバイモードでは給電があり休止モードでは給電がない省電力給電線(＋5V)とセンサ(14,72,42)の間に介挿された；上記（１）の省電力装置。
【００１７】
休止モードでは、省電力給電線(＋5V)およびスイッチ手段(15,73,43)の電力消費も無く、電力消費が更に低減する。
【００１８】
（２ａ）負荷コントローラ(12,51,41)およびセンサ省エネコントローラ(12,51,41)は省電力給電線(＋5V)から給電され；省電力コントローラ(60)は、動作指示対応の電気負荷の駆動および該駆動に関するセンサの検出信号の監視を終了すると計時を開始し、動作指示がなく設定時間(Td1＋Td2)が経過すると省電力給電線(＋5V)への給電を止める；上記（２）の省電力装置。
【００１９】
電気負荷の駆動を終了しセンサの検出信号の監視を終了してから、動作指示が無く設定時間(Td1＋Td2)が経過すると、負荷コントローラ(12,51,41)およびセンサ省エネコントローラ(12,51,41)への給電が止まるので、装置は休止モードとなり、電力消費が更に低減する。
【００２０】
（３）オペレータが動作モードを設定し動作指示を入力するための操作部(20)；転写紙上に画像を形成する画像生成手段(100)およびセンサ(14,72,42)；前記操作部が与える又は遠隔から与えられる動作指示に応答して設定があった動作モードで前記画像生成手段を駆動しセンサの検出信号を監視する画像形成コントローラ(12,51,41)；ならびに、動作指示に応答して該駆動を開始可能なスタンバイモードで待機し、該スタンバイモードに復帰可能な低電力消費の休止モードに移行できる省電力コントローラ(60)；を備える画像形成装置において、
センサへの通電をオン／オフするスイッチ手段(15,73,43)；および、センサ省エネコントローラ(12,51,41)；を備え、前記省電力コントローラ（60)は、スタンバイモードで負荷コントローラ(12,51,41)およびセンサ省エネコントローラ(12,51,41)に給電し、休止モードで該給電を停止し；前記センサ省エネコントローラ(12,51,41)は、前記給電があると前記スイッチ手段(15,73,43)をオンにし、設定があった動作モードの画像生成を終了し該画像生成に関するセンサの検出信号の監視を終了すると前記スイッチ手段(15,73,43)をオフにする；ことを特徴とする画像形成装置。
【００２１】
これによれば、設定があった動作モードの画像生成を終了しセンサの検出信号の監視を終了した後に、スタンバイモードであってもセンサへの給電が止まるので、スタンバイ電力が低減する。したがって、スタンバイモードから休止モードへ移行する設定時間を比較的に長くしても無駄な電力消費が抑制される。
【００２２】
休止モードでは画像形成コントローラ(12,51,41)およびセンサ省エネコントローラ(12,51,41)の電力消費もなくなるので、画像形成装置の電力消費が更に低減する。
【００２３】
（４）前記スイッチ手段(15,73,43)はスタンバイモードでは給電があり休止モードでは給電がない省電力給電線(＋5V)とセンサ(14,72,42)の間に介挿された、上記（３）の画像形成装置。
【００２４】
休止モードでは省電力給電線(＋5V)およびスイッチ手段(15,73,43)の電力消費が無く、画像形成装置の電力消費が更に低減する。
【００２５】
（４ａ）負荷コントローラ(12,51,41)およびセンサ省エネコントローラ(12,51,41)は省電力給電線(＋5v)から給電され；省電力コントローラ(60)は、設定があった動作モードの画像生成を終了し該画像生成に関するセンサの検出信号の監視を終了してから動作指示がなく省電力設定時間(Td1＋Td2)が経過すると省電力給電線(＋5v)への給電を止める；上記（４）の画像形成装置。
【００２６】
設定があった動作モードの画像生成を終了しセンサの検出信号の監視を終了してから、動作指示が無く省電力設定時間(Td1＋Td2)が経過すると、負荷コントローラ(12,51,41)およびセンサ省エネコントローラ(12,51,41)への給電が止まるので、画像形成装置は休止モードとなり、電力消費が更に低減する。
【００２７】
（５）センサ省エネコントローラ(12,51,41)は、設定があった動作モードの画像生成を終了し該画像生成に関するセンサの検出信号の監視を終了してから動作指示がなくセンサ省エネ設定時間(Tds)が経過したときに、前記スイッチ手段（15,73,43）をオフにする；上記（３）乃至（４ａ）のいずれかの画像形成装置。
【００２８】
これによれば、画像生成を終了してからの状態検出を、センサ省エネ設定時間(Tds)の間継続することができる。たとえば、原稿押さえの開き，ＡＤＦ(30)への原稿の挿入，転写紙の補充又は交換等をセンサで検出してこれをスタンバイモード継続条件或いは動作指示（スタンバイ継続指示）とする場合、画像生成を終了してからセンサ省エネ設定時間(Tds)の間、この動作指示（スタンバイ継続指示）を認知することができ、操作者の利便性が損なわれない。センサ省エネ設定時間(Tds)はいわば、スタンバイ継続指示の入力を待つ時間である。
【００２９】
（６）操作部(20)はセンサ省エネ設定時間(Tds)を入力する手段を含み；画像形成装置は入力があったセンサ省エネ設定時間(Tds)を保持する不揮発メモリ手段(264)を備え；センサ省エネコントローラ(12,51,41)は、設定があった動作モードの画像生成を終了し該画像生成に関するセンサの検出信号の監視を終了してから動作指示がなく不揮発メモリ手段が保持するセンサ省エネ設定時間(Tds)が経過したときに、前記スイッチ手段（15,73,43）をオフにする；上記（５）の画像形成装置。
【００３０】
すなわち、画像生成を終了してから、原稿押さえの開き，ＡＤＦ(30)への原稿の挿入，転写紙の補充又は交換等であるスタンバイ継続指示、を画像形成装置が待つ時間(Tds)を操作者が操作部(20)を用いて設定できる。操作者は、利便性を損なわない待ち時間(Tds)を設定することができる。
【００３１】
本発明の他の目的および特徴は、図面を参照した以下の実施例の説明より明らかになろう。
【００３２】
【実施例】
−第１実施例−
図１に本発明の第１実施例であるデジタル複写機の外観を示す。このデジタル複写機は、大略で、自動原稿送り装置〔ＡＤＦ〕３０と、操作部２０と、スキャナ１０と、プリンタ１００と、中継ユニット３２と、ステープラ及び作像された用紙を大量に積載可能なシフトトレイ付きのフィニッシャ３４と、両面反転ユニット３３と、給紙バンク３５と、大容量給紙トレイ３６及び１ビン排紙トレイ３１、の各ユニットで構成されている。複写機本体であるプリンタ１００は、感光体，チャージャ，画像書き込み部、現像部，転写部，定着部ならびに給紙搬送部など画像形成機構を備えている。
【００３３】
図２に、図１に示す複写機の電気系システムの概要を示す。複写機メカ制御部すなわち画像読取りおよび画像形成プロセス制御の主要部に、メイン制御板５０上の１つのＭＰＵ５１と、スキャナ制御板１１上の１つのＣＰＵ１２が用いられている。ＭＰＵ５１は作像シーケンスおよび定着制御とシステム関係の制御を、ＣＰＵ１２はスキャナ関係の制御をそれぞれ行う。ＭＰＵ５１とＣＰＵ１２とは、画像データインターフェース及びシリアルインターフエースによって接続されている。
【００３４】
また、図２において、２０は操作部、７０はＩ／Ｏ制御板、９２は画像露光用のレーザ光を制御するＬＤ制御板、４１は給紙制御板、１３はＣＣＤを搭載する読み取り制御板、９０はマザーボード、６０，９１は、複合機能を実現するためのアプリケーション拡張ユニットで、９１は、ＦＡＸ機能を搭載したファクシミリ制御ユニット、６０は、パソコン，ワープロなどホストのドキュメントを印刷するプリンタ機能及びコピー，ファクシミリ，プリンタの複合動作モードを制御するためのプリンタコントローラ（ボード）である。８０は電源装置である。
【００３５】
スキャナ１０には、コンタクトガラス上の原稿を照明するランプを搭載した走査キャリッジがホームポジションにあるかを検知するホームポジションセンサ，往走査リミット位置にあるかを検知するリミット位置センサおよびコンタクトガラス上に原稿があるかを検知する原稿センサがある。これらのセンサを一括して図２には、センサ１４と示した。スキャナ１０に着脱可のＡＤＦ３０には、原稿がセットされているかを検知する原稿センサ，原稿サイズセンサおよび原稿搬送路に原稿が滞留又はジャムしているかを検知する原稿搬送路のペーパセンサがある。給紙ユニット４０には、給紙トレイおよびカセットの装着を検知するセンサ，そこの紙有無およびサイズ検知をするペーパセンサおよび給送路の残紙又はジャムを検知するペーパセンサがあり、これらのセンサを一括して図２には、センサ４２と示した。作像機構であるプリンタ１００には、その内部の給紙，搬送，排紙の残紙又はジャムを検知するペーパセンサおよび給，排紙路の設定状態を検出するセンサがあり、これらのセンサを一括して図２には、センサ７２と示した。
【００３６】
図３に、電源装置８０から、Ｉ／Ｏ制御板（入出力インターフエイス）７０，メイン制御板（メインコントローラ）５０，マザーボード９０及びプリンタコントローラ６０への給電系統の概要、ならびに、プリンタコントローラ６０の概要を示す。
【００３７】
図３を参照すると、画像形成プロセスを制御するメイン制御板５０には、ＭＰＵ５１、ＣＰＵ周辺ＡＳＩＣ（Ａｐｐｌｉｃａｔｉｏｎ  Ｓｐｅｃｉｆｉｃ  ＩＣ）５４、画像処理ＡＳＩＣ５３、およびプリンタコントローラ６０とのインタフェース機能および画像データの圧縮伸張機能を有したＩ／Ｆ（インターフェイス）５２がある。
【００３８】
システムの制御を司るプリンタコントローラ６０には、複合機能を実現するためのＭＰＵ６１とメイン制御板５０とのインタフェースと操作部との通信機能およびメモリの制御機能を有した周辺ＡＳＩＣ６４およびその他がある。
【００３９】
原稿を光学的に読み取る原稿スキャナ１０は、読み取りユニットにて、原稿に対するランプ照射の反射光をミラー及びレンズにより受光素子に集光する。受光素子（ＣＣＤ）は、センサー・ボード・ユニット（ＳＢＵ）１３にあり、ＣＣＤに於いて電気信号に変換された画像信号は、ＳＢＵ１３上でディジタル信号すなわち読取った画像デ−タに変換された後、ＳＢＵ１３から、メイン制御板５０上の画像処理ＡＳＩＣ５３に出力される。
【００４０】
ＳＢＵ１３からの読取り画像デ−タは、画像処理ＡＳＩＣ５３に転送され、画像処理ＡＳＩＣ５３が、光学系及びディジタル信号への量子化に伴う信号劣化（スキャナ系の信号劣化：スキャナ特性による読取り画像デ−タの歪）を補正し、該画像デ−タをプリンタコントローラ６０に転送してメモリＭＥＭ６５に書込む。又は、プリンタ出力のための処理を施してプリンタ１００のＬＤ制御板９２に与える。
【００４１】
すなわち、画像処理ＡＳＩＣ５３には、読取り画像デ−タをメモリＭＥＭ６５に蓄積して再利用するジョブと、メモリＭＥＭ６５に蓄積しないでＬＤ制御板９２上のビデオ・データ制御（ＶＤＣ）に出力してレ−ザプリンタ機能で作像出力するジョブとがある。メモリＭＥＭ６５に蓄積する例としては、１枚の原稿を複数枚複写する場合、スキャナ１０を１回だけ動作させ、読取り画像デ−タをメモリＭＥＭ６５に蓄積し、蓄積データを複数回読み出す使い方がある。メモリＭＥＭ６５を使わない例としては、１枚の原稿を１枚だけ複写する場合、読取り画像デ−タをそのままプリンタ出力用に処理すれば良いので、メモリＭＥＭ６５への書込みを行う必要はない。
【００４２】
まず、メモリＭＥＭ６５を使わない場合、画像処理ＡＳＩＣ５３は、読取り画像データに画像読取り補正を施してから、面積階調に変換するための画質処理を行う。画質処理後の画像データはＬＤ制御板９２上のＶＤＣに転送する。面積階調に変化された信号に対し、ドット配置に関する後処理及びドットを再現するためのパルス制御をＶＤＣで行い、レ−ザプリンタ機能によって転写紙上に再生画像を形成する。
【００４３】
メモリＭＥＭ６５に蓄積し、それからの読み出し時に付加的な処理、例えば画像方向の回転，画像の合成等を行う場合は、画像読取り補正を施した画像データは、プリンタコントローラ６０の、画像メモリアクセス制御機能がある周辺ＡＳＩＣ６４に送られる。ここではＭＰＵ６１の、フラッシュＥＥＰＲＯＭに格納された動作プログラムに従った制御によって、画像データとメモリモジュ−ルＭＥＭ６５のアクセス制御，外部パソコンＰＣのプリント用データの展開（文字コ−ド／キャラクタビット変換），メモリー有効活用のための画像データの圧縮／伸張を行う。周辺ＡＳＩＣ６４へ送られたデータは、データ圧縮後ＭＥＭ６５へ蓄積し、蓄積データを必要に応じて読み出す。読み出しデータは伸張し、本来の画像データに戻し周辺ＡＳＩＣ６４から画像処理ＡＳＩＣ５３へ戻される。
【００４４】
画像処理ＡＳＩＣ５３へ戻されると、そこで画質処理を、そしてＬＣＤ制御板９２上のＶＤＣでのパルス制御を行い、レーザプリンタ機能によって転写紙上に顕像（トナ−像）を形成する。
【００４５】
複合機能の１つであるＦＡＸ送信機能は、原稿スキャナ１０の読取り画像データを画像処理ＡＳＩＣ５３にて画像読取り補正を施し、ＦＡＸ制御ユニット（ＦＣＵ）９１へ転送する。ＦＣＵ９１にて公衆回線通信網へのデータ変換を行い、該通信網へＦＡＸデータとして送信する。ＦＡＸ受信は、通信網からの回線データをＦＣＵ９１にて画像データへ変換し、画像処理ＡＳＩＣ５３へ転送される。この場合特別な画質処理は行わず、ＬＣＤ制御板９２上のＶＤＣにおいてドット再配置及びパルス制御を行い、レーザプリンタ機能によって転写紙上に顕像を形成する。
【００４６】
メイン制御板５０のＭＰＵ５１は、画像データの流れを制御し、システムコントローラ６０のＭＰＵ６１はシステム全体を制御し、各リソースの起動を管理する。このデジタル複合機能複写機の機能選択は、操作部２０にて選択入力し、コピー機能，ＦＡＸ機能等の処理内容を設定する。
【００４７】
プリンタコントローラ６０には、休止モード時でも通電状態にある＋５ＶＥが供給される。メイン制御板５０には、休止モード時に通電がオフされる＋５Ｖが供給される。Ｉ／Ｏ制御板７０には、同じく休止モード時に通電がオフされる＋５Ｖと＋２４Ｖがそれぞれ供給される。
【００４８】
ＤＣ電源／ＡＣ制御板８０には、コンバータ出力の＋２４Ｖと＋５ＶＥ（＋５Ｖの電圧）にそれぞれスイッチ８３，８４が接続されている。これらのスイッチ８３，８４のオン／オフを行うための制御信号がプリンタコントローラ６０からスイッチ８３，８４に与えられる。休止モードに移行するとき、プリンタコントローラ６０はこの制御信号でスイッチ８３および８４を共にオフにする。
【００４９】
定着装置の目標温度を、トナー像を転写した転写紙の定着処理に定められた定着動作温度として定着ローラの温度をそれに維持する、コピースタートあるいはプリントコマンドに応答して実質上遅れ時間無く画像形成を開始することが出来る「スタンバイモード」（作動モード）では、プリンタコントローラ６０は上記制御信号でスイッチ８３および８４を共にオンにしている。
【００５０】
定着装置のヒータ８６に通電するＡＣ回路８５は、スイッチ８３を通してあたえられる＋２４Ｖによって閉じられる電源リレーがあり、この電源リレーが閉じることにより、商用交流ＡＣが印加される。ＡＣ回路８５は、トライアック（位相制御スイッチング素子）を用いる位相制御の交流通電回路であり、図示しない定着温度センサの温度検出信号を参照して、定着温度が目標温度になるように、トライアックの導通位相を制御する。
【００５１】
「低電力モード」ではプリンタコントローラ６０は、定着装置のヒータ８６およびＡＣ回路ならびに動力系に＋２４Ｖを給電するスイッチ８３をオフとし、制御系および通信系に＋５Ｖを給電するスイッチ８４はオンを継続する。
【００５２】
「休止モード」ではプリンタコントローラ６０は、＋２４Ｖを給電するスイッチ８３および＋５Ｖを給電するスイッチ８４を、ともにオフにする。
【００５３】
しかし休止モードではスイッチ８３，８４がオフで、プリンタコントローラ６０および操作部２０の、複写機使用の可能性を伺わせるオペータの行為又はパソコンＰＣのプリントコマンドを検知するに最小限の電気素子又は回路に＋５ＶＥが継続して印加される。プリンタコントローラ６０においては、該検知を待ちそれに応答してスイッチ８３，８４をオンにする回路ならびに不揮発保持が必要とされるデータを格納するメモリに＋５ＶＥが継続して印加される。
【００５４】
操作部２０からのキーインデータの解析や表示の制御は、プリンタコントローラ６０のＭＰＵ６１が行い、操作部２０とのインターフェイスは周辺ＡＳＩＣ６４が受け持っている。周辺ＡＳＩＣ６４と操作部２０とは、この実施例では、マザーボード９０とメイン制御板５０およびスキャナ制御板１１を経由して接続されている。
【００５５】
図４に、図２に示すブロック区画１４，３０，４２および７２の中の前述の各種センサと、それへの給電をオン／オフするセンサスイッチ１５，４３，７３と、オン／オフ制御をするＣＰＵ１２，ＭＰＵ５１，給紙制御板４１との電気接続を、簡略化して示す。
【００５６】
図４の（ａ）はプリンタ１００内のセンサ７２の給電系統を示す。プリンタコントローラ６０によってオン／オフ制御されるスイッチ８４の出力電圧＋５Ｖがセンサスイッチ７３に印加され、センサスイッチ７３がＭＰＵ５１によってオンにされているときに、センサ７２に動作電圧＋５Ｖが印加される。センサ７２内の主要なセンサは、反射型フォトセンサおよび透過型フォトセンサである。
【００５７】
１つの反射型フォトセンサは、発光ダイオード７２ｂとフォトトランジスタ７２ａでなり、紙又は反射片７２ｃが反射した発光ダイオード７２ｂの光をフォトトランジスタ７２ａが受光するとフォトトランジスタ７２ａがオン（導通）となり、そのコレクタ電位である検知信号が、機器アースレベル（低レベル）Ｌとなる。紙又は反射片７２ｃがなくなると、発光ダイオード７２ｂの光がフォトトランジスタ７２ａに当たらなくなるため、フォトトランジスタ７２ａがオフ（非導通）となり、そのコレクタ電位である検知信号が、略＋５Ｖ（高レベル）Ｈとなる。検知信号はＭＰＵ７１に与えられる。
【００５８】
この反射型フォトセンサ（７２ａ，７２ｂ）が通紙路に、通紙の表面又は裏面に対向するように設置されているときには、その検知信号のＬが紙７２ｃありを表し、Ｈは紙なしを表す。仮に、到来する紙の先端が当たると突出位置から待避位置に押される回動レバーを通紙路に装備してそれと一体又は連結した反射片（フィラー）７２ｃが、紙によって押されているときには反射型フォトセンサ（７２ａ，７２ｂ）の検出視野に入り、紙がないときには該検出視野の外に移動する態様でも、その検知信号のＬが紙７２ｃありを表し、Ｈは紙なしを表す。
【００５９】
１つの透過型フォトセンサは、発光ダイオード７２ｅとフォトトランジスタ７２ｄでなり、紙又は遮光片７２ｆが発光ダイオード７２ｂとフォトトランジスタ７２ａとの間に入るとフォトトランジスタ７２ａがオフとなり、そのコレクタ電位である検知信号がＨとなる。紙又は遮光片７２ｆがなくなると、発光ダイオード７２ｂの光がフォトトランジスタ７２ａに当たるため、フォトトランジスタ７２ａがオンとなり、そのコレクタ電位である検知信号がＬとなる。
【００６０】
この透過型フォトセンサ（７２ｅ，７２ｄ）が通紙路に、通紙を間に置いて相対向するように設置されているときには、その検知信号のＬが紙７２ｆなしを表し、Ｈは紙ありを表す。仮に、到来する紙の先端が当たると突出位置から待避位置に押される回動レバーを通紙路に装備してそれと一体又は連結した遮光片（フィラー）７２ｆが、紙によって押されているときには透過型フォトセンサ（７２ｅ，７２ｄ）の検出視野に入り、紙がないときには該検出視野の外に移動する態様でも、その検知信号のＬが紙なしを表し、Ｈは紙ありを表す。
【００６１】
いずれのタイプのセンサを用いても、センサスイッチ７３がオンでセンサ７２に＋５Ｖが加わっている間、発光ダイオード７２ｂに電流が流れるので、センサ７２が電力を消費する。上述の反射型フォトセンサ（７２ｂ，７２ａ）の場合は、検知信号がＬ（紙あり）の間は、フォトトランジスタ７２ａがオンでそれに接続された限流抵抗に電流が流れるのでセンサでの電力消費が少しあがる。上述の透過型フォトセンサ（７２ｅ，７２ｄ）の場合は、検知信号がＬ（紙なし）の間は、フォトトランジスタ７２ｄがオンでそれに接続された限流抵抗に電流が流れるのでセンサでの電力消費が少しあがる。
【００６２】
図４の（ｂ）は、スキャナ１０およびＡＤＦ３０内のセンサ１４等の給電系統を示す。これにおいては、プリンタコントローラ６０によってオン／オフ制御されるスイッチ８４の出力電圧＋５Ｖがセンサスイッチ１５に印加され、センサスイッチ１５がＣＰＵ１２によってオンにされているときに、センサ１４等に動作電圧＋５Ｖが印加される。センサ１４等の検知信号はＣＰＵ１２に与えられる。センサ１４等の内容は、前述のセンサ７２と同様である。
【００６３】
図４の（ｃ）は、給紙バンク３５および大容量給紙トレイ３６を含む給紙ユニット４０内のセンサ４２の給電系統を示す。これにおいては、プリンタコントローラ６０によってオン／オフ制御されるスイッチ８４の出力電圧＋５Ｖがセンサスイッチ４３に印加され、センサスイッチ４３が給紙制御板４１（の図示しないＣＰＵ）によってオンにされているときに、センサ４２に動作電圧＋５Ｖが印加される。センサ４２の検知信号は給紙制御板４１（の図示しないＣＰＵ）に与えられる。センサ４２の内容は、前述のセンサ７２と同様である。
【００６４】
なお、上述のセンサ７２，１４等，４２には、キャリッジ位置センサなど、原稿，転写紙検出用のペーパセンサとは別のセンサも含まれる。これらの別のセンサでは、反射片（７２ａ相当）あるいは遮光片（７２ｆ相当）は、例えばキャリッジなどの、被駆動部材に装着されている。
【００６５】
図５の（ａ）に、操作部２０の上面を拡大して示し、図５の（ｂ）には、操作部２０の回路ブロックを示す。操作部２０は、ケース，液晶表示装置（ＬＣＤ）２６０，操作キー群２５４，２６２，２６３，表示ＬＥＤ（発光ダイオード）２６１によって構成されている。
【００６６】
電源キー２５４は、休止モードからスタンバイモードに、またその逆への切換えを指示するための操作キーである。休止モードが設定されている時に電源キー２５４が一回押されると、休止モードからスタンバイモードに切換る。スタンバイモードであるときに電源キー２５４が一回押されると、スタンバイモードから休止モードに切換る。
【００６７】
図４の（ｂ）に示す操作部２０の電気制御系の主体は、プリンタコントローラ６０のＭＰＵ６１とコミュニケーションし、操作部２０の入力を読取り、ボード上の表示を制御するＣＰＵ２５３，このＣＰＵ２５３の制御プログラムが格納されているＲＯＭ２６５，制御時にデータの一時格納等を行うためのＲＡＭ２６６，ＬＣＤ２６０の描画データを格納するＶＲＡＭ２６８，このＶＲＡＭ２６８に接続されＬＣＤ２６０の描画タイミング制御等を行う液晶表示コントローラ（ＬＣＤＣ）２６７等がある。ＬＣＤＣ２６７には、ＣＦＬの光源をバックライト２７０として有するＬＣＤ２６０が接続される。ＣＰＵ２５３には更に、ＣＦＬバックライト２７０を駆動するインバータ２６９，操作キー群２５４，２６２，２６３のキーマトリクス２７１，表示ＬＥＤ２６１のＬＥＤマトリクス２７２およびそれらのＬＥＤを駆動するＬＥＤ駆動装置２７３等が接続されている。また、ＣＰＵ２５３が接続されたデータバスには、画像処理モード記憶用の不揮発性ＲＡＭ（ＮＶＲＡＭ）２６４が接続されている。
【００６８】
図６および図７に、プリンタコントローラ６０のＭＰＵ６１の、操作部２０のＣＰＵ２５３と共同して実行する、スタンバイモード／低電力モード／休止モード間の切換え制御を示す。まず図６を参照すると、図３に示すＤＣ電源／ＡＣ制御板８０と商用交流電源（コンセント）との間の元電源スイッチが閉じてＤＣ電源／ＡＣ制御板８０が動作電圧を与えると（ステップ１）、ＭＰＵ６１は、電源オン応答の初期化処理（ステップ２）をしてから、入力読取（ステップ３）を行う。なお、以下においては、カッコ内にはステップと言う語を省略してステップ番号数字のみを記す。
【００６９】
初期化処理（２）においては、プリンタコントローラ６０のＭＰＵ６１がスイッチ８３および８４をともにオンにしてから、すなわちスタンバイモードの各部給電を設定してから、操作部２０のＣＰＵ２５３がＭＰＵ６１の指示に応じて、ＮＶＲＡＭ２６４にある標準処理モードのコピー条件を読み出してＬＣＤ２６０に表示する。入力読取（３）では、操作部２０のＣＰＵ２５３が操作部２０に対するユーザの操作を読み込んでプリンタコントローラ６０のＭＰＵ６１に報知し、また、プリンタコントローラ６０のＭＰＵ６１が、パソコンＰＣおよびフアクシミリ９１からのコマンドを解読する。次に、入力読取（３）の概要を示す。
【００７０】
ユーザがコピーのモード設定のために操作部２０に入力操作をすると、操作部２０のＣＰＵ２５３がこれをＭＰＵ６１に報知し、ＭＰＵ６１が、この入力操作の時間間隔をセーブするレジスタＲＴｉに、そこまでの時間間隔（経過時間）計測値Ｔｉを書込んで（４ａ，４ｂ，５，６）、新たにモード設定入力間隔の計測を開始し（７）、この計測を行っていることを示す情報１をレジスタＦＴｉに書込む（８）。
【００７１】
モード登録キーの押下，コピースターキーの押下等、画像処理モードの設定の完了とみなしうる入力がありこれをＣＰＵ２５３が報知するとＭＰＵ６１は、レジスタＦＴｉをクリアする（９，１０）。すなわち、レジスタＦＴｉの、モード入力の時間間隔データを０にクリアする。この０は、タイマＴｄ１のタイムオーバによりスタンバイモードから低電力モード又は休止モードに切換った時、画像処理モードの設定途中ではなかったことを意味する。レジスタＦＴｉの１は、該設定途中であった可能性が高いことを意味する。
【００７２】
コピースターキーの押下、あるいは、パソコンＰＣ４３またはＦＡＸコントローラ９１からの画像処理要求に応じて画像処理を開始される時には、ＭＰＵ６１は、Ｔｄ１（例えば１０ｓｅｃ）時限のタイマＴｄ１の計時動作を停止し（１１，１２）、設定モードの画像形成が終了し、転写紙排紙を監視する期間のセンサ検出信号の監視を終了した後に、センサスイッチ７３，１５および４３のオフをそれぞれＭＰＵ５１，ＣＰＵ１２および給紙制御板４１に指示し（１３，１４ａ）、タイマＴｄ１の、新たなＴｄ１時限の計時動作をスタートする（１４ｂ）。オフ指示に応答してＭＰＵ５１，ＣＰＵ１２および給紙制御板４１はそれぞれ、センサスイッチ７３，１５および４３をオフにする（１４ａ）。
【００７３】
図７を参照する。入力が無くタイマＴｄ１がタイムオーバすると、ＭＰＵ６１は、図６のステップ３，４ａおよび２１を経て、図７のステップ２２から３５に進んで、Ｔｄ２（例えば１０ｓｅｃ）時限のタイマＴｄ２をスタートして、低電力モードであることを示す「１」をレジスタＦＬＰに書込んで（３６）、低電力モードに移行する（３７）。すなわち、スイッチ８３をオフにする。スイッチ８４はオンを継続する。そしてその後、入力が無くタイマＴｄ２がタイムオーバすると、休止モードへ移行する（３−４ａ−２１−３８−２４−２５）。しかし、入力があると、スタンバイモードに移行して、タイマＴｄ１を再スタートする（３−４ａ−４ｂ−４ｃ）。そして、センサスイッチ７３，１５および４３のオンをそれぞれＭＰＵ５１，ＣＰＵ１２および給紙制御板４１に指示する（４ｄ）。このオン指示に応答してＭＰＵ５１，ＣＰＵ１２および給紙制御板４１はそれぞれ、センサスイッチ７３，１５および４３をオンにする（４ｄ）。
【００７４】
ステツプ２５で休止モードに移行した場合には、その後、電源キー２５４の押下があると、現在休止モードであるかをチエックして（３−４ａ−５−５−９−１１−１３−１５，１６）、休止モードであると、ユーザがスタンバイモードへの復帰を指示したとみなして、スタンバイモードに移行し（２６ａ）、センサスイッチ７３，１５および４３のオンをそれぞれＭＰＵ５１，ＣＰＵ１２および給紙制御板４１に指示し（２６ｂ）、タイマＴｄ１をスタートし（２７）、レジスタＦＴｉのデータをチエックする（２８）。レジスタＦＴｉのデータが１（前回のスタンバイモードから休止モードへの切換りが、ユーザの画像処理条件入力作業中であった可能性が高い）であると、レジスタＦＴｉをクリアして（２９）、画像処理条件入力の時間間隔Ｔｉ（レジスタＲＴｉのデータ）が、設定値Ｔｐ以上（これを画像処理モードの設定にてこずっていたと見なす）かをチエックして（３０）、そうであると、ＮＶＲＡＭ２２８から、前回モードの画像処理条件（コピーモード）を読み出してＬＣＤ２６０に表示する（３１）。
【００７５】
このような処理があることにより、ユーザのコピー処理モード（画像処理モード）を設定する操作時間（ＲＴｉ）が設定時間（Ｔｐ）を経過した場合には、ユーザが複雑なモード設定をしていると見なし、スタンバイモードから休止モードに移行してしまっても、その後のスタンバイモードへの復帰時には、先ず前回モード設定画面が、ＬＣＤ２６０に表示される。
【００７６】
ところで、スタンバイモードに復帰する時にレジスタＦＴｉのデータが０のときには、前回の休止モードへの移行はユーザのモード設定を阻害していないと見なす。この場合には、ＮＶＲＡＭ２２８から、標準処理モードのコピーモード（画像処理条件）を読み出してＬＣＤ２６０に表示する（３３）。
【００７７】
電源キー２５４がオンのときに休止モードでないと、つまりスタンバイモードであると、画像処理指示（要求）を待っているレディ状態であるかをチエックして（１７）、そうであるとユーザが休止モードへの切換えを指示したとみなして、ＬＣＤ２６０に表示中の画像処理モードを、ＮＶＲＡＭ２６４に前回モードとして書込み（２４）、休止モードに移行する（２５）。
【００７８】
外部（パソコンＰＣ／ファクシミリ９１）からの画像処理要求があると（１８）、現在が休止モードであるかをチエックして（１８，１９）、休止モードであると、「スタンバイモードに移行」（２６ａ）以下の、前述の処理に進む。
【００７９】
操作部２０のＣＰＵ２５３は、以上に説明した入力読取と入力対応処理に関連する処理の他に、置数キーの押下の読込と入力数字データの生成，スタートキーの押下の読込みと、スタート指示のプリンタコントローラ６０への転送，用紙サイズの切換え入力の読取りなど、通常の複写機の操作／表示ボードの入出力制御を行う。これらの処理を一括して、「その他の入力処理」（２０）として図７に示した。
【００８０】
この第１実施例では、スタンバイモードにあって休止モードへの移行条件（Ｔｄ１経過）が成立した場合に低電力モードに移行するので、すなわち、操作部２０の表示はそのままで、スイッチ８３をオフにして定着装置のヒータ８６ならびに動力系への通電は止めるので、電力消費が低減する。しかし、操作部２０の表示はそのままで、入力読取は継続するので、オペレータの設定がキャンセルされることはなく、オペレータは操作部２０に対する入力をさらに行うことが出来、再設定の煩わしさが改善し、操作性が向上する。
【００８１】
低電力モードに移行してからそのまま設定時間Ｔｄ２が経過すると休止モードに移行し、休止モードでは操作部２０ではスイッチ８４もオフにして、＋５Ｖも遮断して操作部２０の表示も消すので、省エネ効果が高い。設定時間Ｔｄ２内に入力又は動作指示があるとスタンバイモードに復帰するので、オペレータの操作性は高い。
【００８２】
−第２実施例−
第２実施例のハードウエア構成と制御概要は、前述の第１実施例のものと同様である。しかし、第２実施例のプリンタコントローラ６０のＭＰＵ６１の、休止モードに移行してからの、省エネモード切換え制御の内容が少し異なる。第１実施例の図６に示す処理とは異なっている処理を図８に示す。図７に示す処理は、第２実施例でも同じである。以下、第１実施例と異なる部分のみを説明する。
【００８３】
第２実施例では、プリンタコントローラ６０のＭＰＵ６１は、設定モードの画像形成が終了し、転写紙排紙を監視する期間のセンサ検出信号の監視を終了したときに、タイマＴｄｓのＴｄｓ時限の計時動作をスタートし（１４ｃ）、タイマＴｄ１のＴｄ１時限の計時動作をスタートする（１４ｂ）。その後オペレータの入力がなくタイマＴｄｓがタイムオーバすると（３−４ａ−２１１４ｄ）、センサスイッチ７３，１５および４３のオフをそれぞれＭＰＵ５１，ＣＰＵ１２および給紙制御板４１に指示する（１４ｅ）。このオフ指示に応答してＭＰＵ５１，ＣＰＵ１２および給紙制御板４１はそれぞれ、センサスイッチ７３，１５および４３をオフにする（１４ｅ）。
【００８４】
ここで、タイマＴｄｓに設定する時限値Ｔｄｓは、操作部２０から入力できるものであり、入力値が図５の（ｂ）に示すＮＶＲＡＭ２６４に格納されているものである。「入力読取」（３）で、操作キー群２６２の中の設定キーのオペレータ操作を読取るとＣＰＵ２５３が設定メニュー画面を液晶ディスプレイ２６０に表示する。
【００８５】
オペレータが設定メニュー画面上の省エネ切換え待ち時間の欄を指定すると、ＣＰＵ２５３は、液晶ディスプレイ２６０の表示面の一部に、図９に示す省エネ切換え待ち時間設定画面２６０ｔｉを表示する。オペレータはここで、画面２６０ｔｉ上のアップ／ダウンボタンを操作して、タイマＴｄｓに設定する時限値Ｔｄｓ，タイマＴｄ１に設定する時限値Ｔｄ１およびタイマＴｄ２に設定する時限値Ｔｄ２を調整することができる。液晶ディスプレイ２６０の表示面上の、図示を省略したＥｎｔｅｒボタンをオペレータが操作すると、ＣＰＵ２５３がそのとき省エネ切換え待ち時間設定画面２６０ｔｉに表示している時限値Ｔｄｓ（Ａ），Ｔｄ１（Ｂ）およびＴｄ２（Ｃ）をＮＶＲＡＭ２６４に更新書込み（上書き）、かつ、プリンタコントローラ６０のＭＰＵ６１に転送する。ＭＰＵ６１はＲＡＭの該当データを転送を受けたデータに更新して、ステップ１４ｄで参照する。
【００８６】
なお、その後ＮＶＲＡＭ２６４上のこれらの時限値Ｔｄｓ，Ｔｄ１およびＴｄ２は、初期化処理（２）において、操作部２０のＣＰＵ２５３がＭＰＵ６１の指示に応じてＮＶＲＡＭ２６４にある標準処理モードのコピー条件を読み出してＬＣＤ２６０に表示するときに、ＣＰＵ２５３がＭＰＵ６１に転送する。ＭＰＵ６１はこれらのデータＴｄｓ，Ｔｄ１およびＴｄ２をＲＡＭに保持して、その後ステップ１４ｄ，２２，３８で参照する。
【００８７】
【発明の効果】
以上のように、設定があった動作モードの画像生成を終了し該画像生成に関するセンサの検出信号の監視を終了した後に、スタンバイモードであってもセンサへの給電を止める（図６の１４ａ，図８の１４ｅ）ので、スタンバイ電力が低減する。したがって、スタンバイモードから休止モードへ移行する設定時間（Ｔｄ１＋Ｔｄ２）を比較的に長くしても無駄な電力消費が抑制される。
【図面の簡単な説明】
【図１】  本発明の画像形成装置の１実施例である複写機の外観を示す正面図である。
【図２】  図１に示す複写機の電気系統のシステム構成を示すブロック図である。
【図３】  図２に示すＤＣ電源／ＡＣ制御板８０とプリンタコントローラ６０の構成の概要を示すブロック図である。
【図４】  図２に示すブロック区画１４，３０，４２および７２の中の各種センサと、それへの給電をオン／オフするセンサスイッチ１５，４３，７３と、オン／オフ制御をするＣＰＵ１２，ＭＰＵ５１，給紙制御板４１との電気接続を、簡略化して示す電気回路図であり、（ａ）はプリンタ１００内のセンサ７２の給電系統を、（ｂ）はスキャナ１０およびＡＤＦ３０の内部のセンサ１４等の給電系統を、また、（ｃ）は給紙バンク３５および大容量給紙トレイ３６を含む給紙ユニット４０内のセンサ４２の給電系統を、それぞれ示す。
【図５】  （ａ）は図１に示す操作部２０の拡大平面図、（ｂ）はその電気系統のシステム構成を示すブロック図である。
【図６】  図３に示すプリンタコントローラ６０のＭＰＵ６１の省エネモード制御の前半を示すフローチャートである。
【図７】  図３に示すプリンタコントローラ６０のＭＰＵ６１の省エネモード制御の後半を示すフローチャートである。
【図８】  本発明の第２実施例の、プリンタコントローラ６０のＭＰＵ６１の省エネモード制御の前半を示すフローチャートである。
【図９】  本発明の第２実施例の、操作部２０の液晶ディスプレイ２６０に表示される切換え待ち時間設定画面２６０ｔｉの表示を示す平面図である。
【符号の説明】
１３：センサー・ボード・ユニット
２０：操作部
２６２：テンキー，クリア／ストップキー，コピースタートキー
２５４：電源キー  ２５５：指定キー
２５６：ＬＥＤ    ２６０：パネル
２６１：ＬＥＤ    ２６２：操作キー
【図１】
0004301390.tif 000002
【図２】
0004301390.tif 000003
【図３】
0004301390.tif 000004
【図４】
0004301390.tif 000005
【図５】
0004301390.tif 000006
【図６】
0004301390.tif 000007
【図７】
0004301390.tif 000008
【図８】
0004301390.tif 000009
【図９】
0004301390.tif 000010